(57)【要約】【課題】商品載置棚の数を減少させることなく種々の商品を見栄えよく陳列させること。【解決手段】ケース本体１の内部に互いに離隔する態様で前方に向けて配設された左右一対の支持ユニット２０と、支持ユニット２０間に架設された棚板支持部材３０と、棚板支持部材３０に支持され、上面が商品を載置する載置面を構成する棚板４０とを備えた商品載置棚１０を有するショーケースであって、商品載置棚１０は、支持ユニット２０の後端部間に架設された補助ガイド部材５１と、補助ガイド部材５１に後端部が係合されることにより支持ユニット２０間において左右方向に沿って移動可能に設けられ、かつ支持ユニット２０から離隔した個所に設置されて棚板４０を棚板支持部材３０とともに支持する補助支持部材５２とを備えている。【選択図】図３
2018094373.tif 000002
【特許請求の範囲】
【請求項１】
ケース本体の内部に互いに離隔する態様で前方に向けて配設された左右一対の支持ユニットと、
前記支持ユニット間に架設された棚板支持部材と、
前記棚板支持部材に支持され、上面が商品を載置する載置面を構成する棚板と
を備えた商品載置棚を有するショーケースであって、
前記商品載置棚は、
前記支持ユニットの後端部間に架設された補助ガイド部材と、
前記補助ガイド部材に後端部が係合されることにより前記支持ユニット間において左右方向に沿って移動可能に設けられ、かつ前記支持ユニットから離隔した個所に設置されて前記棚板を前記棚板支持部材とともに支持する補助支持部材と
を備えたことを特徴とするショーケース。
【請求項２】
前記棚板は、複数の棚板構成要素が左右に並設されて構成されたことを特徴とする請求項１に記載のショーケース。
【請求項３】
前記支持ユニットは、
前記ケース本体の内部に前方に向けて配設されたブラケット部材と、
前記ブラケット部材にスライド機構を介して取り付けられることにより該ブラケット部材に対して前後方向にスライド可能に設けられ、かつ前記棚板支持部材の側部を支持するスライド支持部材と
を備えて構成されたことを特徴とする請求項１又は請求項２に記載のショーケース。
【請求項４】
前記補助ガイド部材に前方に向けて突出する態様で着脱可能に設けられたアタッチメント部材を備えたことを特徴とする請求項１〜３のいずれか１つに記載のショーケース。
【請求項５】
前記アタッチメント部材は、ワイヤ形状を成し、かつ中央部分が湾曲するよう弾性変形した状態で一端部が前記補助ガイド部材の前面に形成された第１係止孔に前方から挿入して該補助ガイド部材に係止されるとともに、他端部が前記前面に形成された第２係止孔に前方から挿入して該補助ガイド部材に係止されることを特徴とする請求項４に記載のショーケース。
【請求項６】
前記棚板構成要素は、着脱可能に設けられていることを特徴とする請求項２〜５のいずれか１つに記載のショーケース。
【発明の詳細な説明】
【技術分野】
【０００１】
本発明は、ショーケースに関し、より詳細には、例えばスーパーマーケットやコンビニエンスストア等の店舗に設置され、収納対象となる商品を所望の温度状態に保持するようにしたショーケースに関するものである。
【背景技術】
【０００２】
従来、例えばスーパーマーケットやコンビニエンスストア等の店舗に設置され、収納対象となる商品を所望の温度状態に保持するようにしたショーケースとして、次のようなものが知られている。
【０００３】
前面に開口を有したケース本体の収納室に複数の商品載置棚が上下方向に沿って複数段設けられており、それぞれの商品載置棚に商品が載置されている。また、ケース本体の内部であって収納室外となる個所には、吸込口を通じて吸い込んだ収納室の内部の空気を冷却する冷却器が設けられており、この冷却器で冷却された空気が吹出口から収納室に吹き出されることにより、商品載置棚に載置された商品が冷却されて所望の温度状態に調整される。かかるショーケースにおける商品載置棚は、ブラケット、棚板支持部材及び棚板を備えて構成されている。
【０００４】
ブラケットは、上記収納室を画成する背面パネルを支持するとともに上下方向に所定間隔で係止孔が形成された棚柱に対し、自身の係止片が所定の係止孔に挿入されることで該棚柱に支持される左右一対のものである。棚板支持部材は、枠状の形態を成しており、ブラケットのそれぞれに対して前後方向に沿って移動可能となる態様で係合手段を介して係合しており、自身の横フレーム部が左右のブラケット間に架け渡されるよう配設されている。棚板は、棚板支持部材に前端部、後端部、左端部及び右端部が支持されて設けられており、上面が収納対象である商品を載置するための商品載置面を構成している。
【０００５】
このような商品載置棚は、ブラケットの係止片が棚柱における所定の係止孔に挿入して該ブラケットが棚柱に支持されることで、上述したように上下方向に沿って複数段設けられている（例えば、特許文献１参照）。
【先行技術文献】
【特許文献】
【０００６】
【特許文献１】特開平１１−２９９５９６号公報
【発明の概要】
【発明が解決しようとする課題】
【０００７】
上述したショーケースにおいては、商品載置棚のピッチ、すなわち上下に隣接する商品載置棚の離間距離は、商品の収納数の確保や見栄え等の観点より、下側の商品載置棚に載置される商品の高さよりも僅かに大きい程度であることが好ましい。
【０００８】
ところで、上述したショーケースの商品載置棚は、棚板を支持する棚板支持部材が、商品を載置する棚板が下方に凸となる態様で撓むことを抑制するために枠状の形態を成していることから、該棚板の前端部の下方に棚板支持部材の前端フレーム部分が左右方向に沿って延在している。
【０００９】
一方、収納する商品の多様化により、商品載置棚の一部の領域に他の領域に載置された商品よりも高さが大きい商品（以下、背高商品ともいう）を載置させる場合、上方の商品載置棚の棚板支持部材の前端フレーム部分の存在により、商品載置棚のピッチを背高商品に応じて決める必要があり、商品載置棚のピッチの増大を招来してしまう。このように商品載置棚のピッチが増大してしまうと、収納室の高さは決まっていることから、商品載置棚の数を減少させる虞れがあった。また、他の領域に載置された商品と上方の商品載置棚との離間距離が大きくなってしまい見栄えも好ましいとはいえなかった。
【００１０】
本発明は、上記実情に鑑みて、商品載置棚の数を減少させることなく種々の商品を見栄えよく陳列させることができるショーケースを提供することを目的とする。
【課題を解決するための手段】
【００１１】
上記目的を達成するため、本発明に係るショーケースは、ケース本体の内部に互いに離隔する態様で前方に向けて配設された左右一対の支持ユニットと、前記支持ユニット間に架設された棚板支持部材と、前記棚板支持部材に支持され、上面が商品を載置する載置面を構成する棚板とを備えた商品載置棚を有するショーケースであって、前記商品載置棚は、前記支持ユニットの後端部間に架設された補助ガイド部材と、前記補助ガイド部材に後端部が係合されることにより前記支持ユニット間において左右方向に沿って移動可能に設けられ、かつ前記支持ユニットから離隔した個所に設置されて前記棚板を前記棚板支持部材とともに支持する補助支持部材とを備えたことを特徴とする。
【００１２】
また本発明は、上記ショーケースにおいて、前記棚板は、複数の棚板構成要素が左右に並設されて構成されたことを特徴とする。
【００１３】
また本発明は、上記ショーケースにおいて、前記支持ユニットは、前記ケース本体の内部に前方に向けて配設されたブラケット部材と、前記ブラケット部材にスライド機構を介して取り付けられることにより該ブラケット部材に対して前後方向にスライド可能に設けられ、かつ前記棚板支持部材の側部を支持するスライド支持部材とを備えて構成されたことを特徴とする。
【００１４】
また本発明は、上記ショーケースにおいて、前記補助ガイド部材に前方に向けて突出する態様で着脱可能に設けられたアタッチメント部材を備えたことを特徴とする。
【００１５】
また本発明は、上記ショーケースにおいて、前記アタッチメント部材は、ワイヤ形状を成し、かつ中央部分が湾曲するよう弾性変形した状態で一端部が前記補助ガイド部材の前面に形成された第１係止孔に前方から挿入して該補助ガイド部材に係止されるとともに、他端部が前記前面に形成された第２係止孔に前方から挿入して該補助ガイド部材に係止されることを特徴とする。
【００１６】
また本発明は、上記ショーケースにおいて、前記棚板構成要素は、着脱可能に設けられていることを特徴とする。
【発明の効果】
【００１７】
本発明によれば、商品載置棚を構成する補助ガイド部材が、ケース本体の内部に互いに離隔する態様で前方に向けて配設された左右一対の支持ユニットの後端部間に架設され、補助ガイド部材に後端部が係合されることにより支持ユニット間において左右方向に沿って移動可能に設けられた補助支持部材が、支持ユニットから離隔した個所に設置されて商品を載置する棚板を棚板支持部材とともに支持するので、直下の商品載置棚の一部の領域にその他の領域に載置される商品よりも高さの大きい背高商品が載置される場合、該当する商品載置棚においては、棚板の大きさを小さくするだけで、上下に隣接する商品載置棚の離間距離であるピッチを変更することなく、背高商品を陳列させることができる。しかも、商品載置棚のピッチを変更する必要がなく、見栄えを良好に維持できる。従って、商品載置棚の数を減少させることなく種々の商品を見栄えよく陳列させることができる。
【図面の簡単な説明】
【００１８】
【図１】図１は、本発明の実施の形態であるショーケースの内部構造を左側から見た場合を示す断面側面図である。
【図２】図２は、図１に示した１つの商品載置棚を示す斜視図である。
【図３】図３は、図１に示した１つの商品載置棚を示す分解斜視図である。
【図４】図４は、図２及び図３に示した１つの支持ユニットを示す斜視図である。
【図５】図５は、図２及び図３に示した１つの支持ユニットを示す斜視図である。
【図６】図６は、図２及び図３に示した補助ユニットを示す斜視図である。
【図７】図７は、図２及び図３に示した補助ユニットを示す右側面図である。
【図８】図８は、図６及び図７に示した補助ガイド部材が図４及び図５に示されたブラケット部材に取り付けられる状態を示す斜視図である。
【図９】図９は、補助ユニットが支持ユニットに取り付けられた状態を示す斜視図である。
【図１０】図１０は、図１に示した１つの商品載置棚の正面図である。
【図１１】図１１は、図１０に示した商品載置棚の１つの棚板構成部を取り外して１つの補助支持部材を左方にスライドさせた状態を示す正面図である。
【図１２】図１２は、図２に示した商品載置棚の変形例を示す斜視図である。
【図１３】図１３は、図１２に示した商品載置棚の要部を拡大して示す斜視図であり、一部の構成要素を分解して示している。
【図１４】図１４は、図１２に示した商品載置棚の変形例の正面図である。
【図１５】図１５は、棚板構成部の変形例を示す斜視図である。
【図１６】図１６は、棚板の変形例を示す模式図である。
【図１７】図１７は、図１６に示した棚板を有した商品載置棚を示す斜視図である。
【発明を実施するための形態】
【００１９】
以下に添付図面を参照して、本発明に係るショーケースの好適な実施の形態について詳細に説明する。
【００２０】
図１は、本発明の実施の形態であるショーケースの内部構造を左側から見た場合を示す断面側面図である。ここで例示するショーケースは、例えばスーパーマーケットやコンビニエンスストア等の店舗に設置されるもので、ケース本体１を備えている。
【００２１】
ケース本体１は、前面に開口（以下、前面開口ともいう）１ａを有した略直方状の断熱筐体であり、その内部には収納室２が画成されているとともに、空気循環手段３が設けられている。
【００２２】
収納室２は、上記前面開口１ａを臨む態様で画成された室であり、複数（図示の例では５つ）の商品載置棚１０が上下方向に沿って複数段並べて配設されている。これら商品載置棚１０の構成については後述する。
【００２３】
空気循環手段３は、空気通路４と循環ファンＦとを備えて構成されている。空気通路４は、ケース本体１の内部における収納室２の外部に形成したもので、吸込口５から吹出口６に至る空気の通路である。ここで吸込口５は、収納室２の内部の空気（内部雰囲気）を吸い込むための開口であり、収納室２の左右方向に沿って延設されている。この吸込口５は、収納室２の下側前方縁部、すなわちケース本体１の前面開口１ａ近傍の下部に配設されている。
【００２４】
吹出口６は、収納室２の内部に空気を吹き出すための開口である。この吹出口６は、収納室２の左右方向に沿って延設されていて、収納室２の上側前方縁部、すなわちケース本体１の前面開口１ａ近傍の上部に前後に並設されている。
【００２５】
このような空気通路４は、収納室２の下方にある下方ダクト４ａと、収納室２の背面を構成する背面パネル７よりも後方側にある背面ダクト４ｂと、収納室２の上方にある上方ダクト４ｃとを互いに連通した態様で構成されている。
【００２６】
循環ファンＦは、駆動する場合に空気を循環させるものであり、背面ダクト４ｂの所定部位に設置されている。本実施の形態においては、循環ファンＦは背面ダクト４ｂの所定部位に設置されているが、本発明では、循環ファンＦの設置個所は特に限定されるものではなく、後述する循環ファンＦの機能を発揮することができる個所であればどこに設置しても構わない。
【００２７】
このような空気循環手段３は、循環ファンＦが駆動することにより、吸込口５を通じて収納室２の内部の空気を吸い込み、この吸い込んだ空気が空気通路４を通過する態様で該空気を吹出口６まで送出し、吹出口６を通じて空気を収納室２の内部に吹き出すことにより、ケース本体１の前面開口１ａにエアカーテンを形成しながら収納室２の内部と外部との間で空気を循環させるものである。
【００２８】
上記空気通路４の背面ダクト４ｂには蒸発器８が設けられている。蒸発器８は、図には明示しないが、圧縮機、凝縮器及び膨張機構とともに冷媒を循環させる冷凍サイクルを構成する。圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２９】
蒸発器８は、循環ファンＦが駆動することにより背面ダクト４ｂを下方から上方に向けて通過する空気と、膨張機構で断熱膨張された冷媒とを熱交換させるもの、より詳細には、冷媒を蒸発させることにより背面ダクト４ｂ（空気通路４）を通過する空気を冷却するものである。この蒸発器８で蒸発した冷媒は、再び圧縮機に吸引されて圧縮されることになる。
【００３０】
次に商品載置棚１０について説明する。収納室２の各段の商品載置棚１０は、同様の構成を有したものであるから、以下では１つの商品載置棚１０について説明を行う。
【００３１】
図２及び図３は、それぞれ図１に示した１つの商品載置棚１０を示すものであり、図２は斜視図、図３は分解斜視図である。これら図２及び図３に示すように、商品載置棚１０は、支持ユニット２０及び補助ユニット５０を備えて構成されている。
【００３２】
支持ユニット２０は、背面パネル７の左右両側の前面に取り付けられた棚柱（図示せず）から前方に突出するように配設されたものである。つまり、支持ユニット２０は、ケース本体１の内部である収納室２に互いに離隔する態様で前方に向けて配設された左右一対のものである。
【００３３】
図４及び図５は、それぞれ図２及び図３に示した１つの支持ユニット２０を示す斜視図である。ここで例示する支持ユニット２０は、ブラケット部材２１とスライド支持部材２２とを有している。
【００３４】
尚、上述したように支持ユニット２０は左右一対のものであるので、便宜上、２つの支持ユニット２０において互いに近接した方向を内側と称し、互いに離反した方向を外側と称して説明する。
【００３５】
ブラケット部材２１は、支持ユニット２０のベースとなるもので、ブラケット基部２１ａと水平内延部２１ｂとを一体に成形することによって形成されている。ブラケット基部２１ａは、前後方向が長手方向となる長尺板状部分であり、表面が外側を臨み、裏面が内側を臨むものである。このブラケット基部２１ａの後端部には、係合片２１１が設けられている。水平内延部２１ｂは、ブラケット基部２１ａの上端縁部より内側に向けて延在する部分である。
【００３６】
このようなブラケット部材２１は、係合片２１１が棚柱に形成された係合孔（図示せず）に挿入することで該棚柱に係合されて設けられている。
【００３７】
スライド支持部材２２は、前後方向が長手方向となる長尺状部材であり、支持基部２２ａと支持壁部２２ｂとを一体に成形することによって形成されている。支持基部２２ａは、ブラケット基部２１ａの内面（裏面）に対向する態様で配置され、上下方向の寸法がブラケット基部２１ａの上下方向の寸法より僅かに大きいものである。支持壁部２２ｂは、支持基部２２ａの上端縁部より外側に向けて延在するものであり、水平内延部２１ｂよりも上方に配置される。この支持壁部２２ｂは、左右方向の寸法が水平内延部２１ｂの左右方向の寸法より僅かに大きく、下面が水平内延部２１ｂの上面に対向している。
【００３８】
このようなスライド支持部材２２と、ブラケット部材２１との間にはスライド機構２３が介在している。スライド機構２３は、ブラケット基部２１ａと支持基部２２ａとの間に収容配置されている。このスライド機構２３は、従来公知のものであり、スライド支持部材２２が、ブラケット部材２１に対して前後方向にスライドすることを許容するものである。つまり、スライド支持部材２２は、ブラケット部材２１に対して前後方向にスライド可能に設けられている。尚、図４中の符号２４は、ストッパ部材である。
【００３９】
そして、上記スライド支持部材２２の支持壁部２２ｂには、棚板支持部材３０の側部３１が取り付けられている。棚板支持部材３０は、図２及び図３に示すように、前後方向に沿って延在する左右一対の側部３１と、これら側部３１の後端部を連結する連結部３２とを一体に成形することにより形成された部材である。
【００４０】
かかる棚板支持部材３０は、連結部３２に形成された支持孔３２ａに、棚板４０の後端部に形成された支持片４０ａが挿入することで該棚板４０を支持するものである。棚板４０は、上面が商品を載置する載置面を構成する略平板状の板材である。尚、本実施の形態においては、棚板４０は、３つの棚板構成部４１が左右に並設されて構成されており、それぞれが着脱可能に設けられている。
【００４１】
図６及び図７は、それぞれ図２及び図３に示した補助ユニット５０を示すものであり、図６は斜視図、図７は右側面図である。これら図６及び図７に示すように、補助ユニット５０は、補助ガイド部材５１と補助支持部材５２とを備えて構成されている。
【００４２】
補助ガイド部材５１は、左右方向が長手方向となる長尺状部材であり、底壁部５１１と、前壁部５１２と、天壁部５１３とを一体に成形することによって形成されている。
【００４３】
底壁部５１１は、左右方向に沿って略水平に延在する部分であり、後端縁部が上方に屈曲している。この底壁部５１１の左右方向の長さは、左右一対の支持ユニット２０におけるブラケット部材２１同士の離間距離よりも大きいものである。また、底壁部５１１の左右両端部には、後方側部分に切欠を形成することにより、底壁取付片５１１ａが形成されている。
【００４４】
前壁部５１２は、底壁部５１１の前端縁部より上方に向けて延在する部分である。この前壁部５１２の前面が補助ガイド部材５１の前面を構成している。このような前壁部５１２は、左右方向の長さが底壁部５１１と一致している。また、前壁部５１２の左右両端部には、上方側部分に切欠を形成することにより、前壁取付片５１２ａが形成されている。前壁取付片５１２ａは、底壁取付片５１１ａに連続しており、該底壁取付片５１１ａとともにガイド取付片５１４を構成している。
【００４５】
天壁部５１３は、前壁部５１２の上端縁部より後方に向けて延在する部分であり、底壁部５１１に対向している。この天壁部５１３は、前後方向の長さが底壁部５１１の前後方向の長さと略一致しており、後端縁部が下方に屈曲している。
【００４６】
補助支持部材５２は、複数（図示の例では２つ）設けられている。かかる補助支持部材５２は、当接壁部５２１と側壁部５２２とを一体に成形することによって形成されている。
【００４７】
当接壁部５２１は、前後方向に沿って略水平に延在する平板状部分である。この当接壁部５２１の後端縁部５２１ａが下方に屈曲している。側壁部５２２は、当接壁部５２１の後方領域を除く領域の左右両側縁部から下方に向けて延在する部分である。
【００４８】
このような補助支持部材５２においては、当接壁部５２１の後端縁部５２１ａと、側壁部５２２の後端面５２２ａとの離間距離が補助ガイド部材５１の前後方向の長さよりも僅かに大きいものである。補助支持部材５２は、当接壁部５２１の後方領域部分が補助ガイド部材５１の天壁部５１３に載置された状態で、該当接壁部５２１の後端縁部５２１ａが天壁部５１３の後端縁部に接しつつ、側壁部５２２の後端面５２２ａが前壁部５１２の前面に接することで、補助ガイド部材５１に係合される。そして、補助支持部材５２は、補助ガイド部材５１に係合した状態で左右方向に沿ってスライド可能である。つまり、補助支持部材５２は、後端部が補助ガイド部材５１に係合されることにより左右方向に沿って移動可能に設けられている。
【００４９】
補助ユニット５０を構成する補助ガイド部材５１は、図８に示すように、ガイド取付片５１４（底壁取付片５１１ａ及び前壁取付片５１２ａ）がブラケット基部２１ａの後端部に形成された異形状の取付孔２１２を内側より挿通し、かつ天壁部５１３の左右両端部が水平内延部２１ｂに締結部材Ｎを介して締結されることにより、ブラケット部材２１（支持ユニット２０）の後端部間に架設されている。これにより、補助ユニット５０は、図９に示すように、支持ユニット２０間に設けられている。そして、補助ユニット５０を構成する補助支持部材５２は、補助ガイド部材５１に後端部が係合されることにより支持ユニット２０間において左右方向に沿って移動可能に設けられている。
【００５０】
以上のような構成を有するショーケースにおいては、補助支持部材５２が支持ユニット２０間において左右方向に沿って移動可能に設けられていることから、図１０に示すように、補助支持部材５２が支持ユニット２０から離隔した個所に設置されて、当接壁部５２１が互いに隣り合う棚板構成部４１の境界部分に当接することで棚板４０を棚板支持部材３０とともに支持することができ、商品を載置する棚板４０が下方に凸となる態様で撓むことを抑制できる。
【００５１】
このように補助支持部材５２が棚板４０を棚板支持部材３０とともに支持することができるので、棚板支持部材３０については、従来のように枠状の形態にする必要がない。つまり、棚板支持部材３０では棚板４０の前端部を支持する必要がなく、該棚板４０の前端部を支持する前端フレーム部分を必要としない。また、棚板４０についても、１枚の板である必要はなく、上述したように、複数の棚板構成部４１が左右に並設されて構成される分割構造とし、それぞれが着脱可能に設けられていてもよい。
【００５２】
そして、図１１に示すように、直下の商品載置棚１０の一部の領域（左方領域）にその他の領域に載置される商品（以下、通常商品ともいう）Ｗ１よりも高さの大きい背高商品Ｗ２が載置される場合、該当する商品載置棚１０においては、左方の棚板構成部４１を取り外して左側の補助支持部材５２を左方に向けてスライドさせるだけで、上下に隣接する商品載置棚１０の離間距離であるピッチを変更することなく、背高商品Ｗ２を陳列させることができる。しかも、商品載置棚１０のピッチを通常商品Ｗ１に合わせた状態に維持することができるので、見栄えを良好に維持できる。
【００５３】
尚、例えばネギ等のように背高商品Ｗ２の高さが非常に大きい場合には、１つの商品載置棚１０だけでなく複数の商品載置棚１０における一部の棚板構成部４１を取り外すことにより、上下に隣接する商品載置棚１０の離間距離であるピッチを変更することなく、背高商品Ｗ２を良好に陳列させることができる。
【００５４】
従って、上記ショーケースによれば、商品載置棚１０の数を減少させることなく種々の商品を見栄えよく陳列させることができる。
【００５５】
図１２は、図２に示した商品載置棚１０の変形例を示す斜視図である。この図１２に示すように、補助ユニット５０を構成する補助ガイド部材５１には、アタッチメント部材６０が着脱可能に設けられても良い。
【００５６】
アタッチメント部材６０は、ワイヤ形状を成している。このアタッチメント部材６０は、図１３に示すように、中央部分６０ａが湾曲するよう弾性変形した状態で一端部６０ｂが補助ガイド部材５１の前壁部５１２に形成された第１係止孔５１５に前方から挿入して該補助ガイド部材５１に係止されるとともに、他端部６０ｃが前壁部５１２に形成された第２係止孔５１６に前方から挿入して該補助ガイド部材５１に係止されることにより、着脱可能に設けられている。
【００５７】
このようなアタッチメント部材６０が設けられたショーケースでは、図１４に示すように、直下の商品載置棚１０に載置された背高商品Ｗ２をアタッチメント部材６０で支持することができ、これにより、背高商品Ｗ２が左右方向に横倒姿勢となってしまうことを抑制することができる。
【００５８】
以上、本発明の好適な実施の形態及び変形例について説明したが、本発明はこれらに限定されるものではなく、種々の変更を行うことができる。
【００５９】
上述した変形例では、アタッチメント部材６０がワイヤ形状を有していたが、本発明においては、アタッチメント部材の形状は特に限定されるものではなく、補助ガイド部材に前方に向けて突出する態様で着脱可能に設けられるものであれば、どのような形態のものであってもよい。
【００６０】
本発明においては、棚板４０を構成する棚板構成部４１の下面には、図１５に示すように、左右方向に沿って延在する滑り止め用の凸部４１ａが設けられていてもよい。これによれば、取り外した棚板構成部４１を、上下反転させて直下の商品載置棚１０を構成する棚板４０の上面に配置させることにより、該棚板構成部４１に背高商品を載置させて陳列させることができる。この際、凸部４１ａが背高商品の滑り止めとして機能させることができる。これによれば、取り外した棚板構成部４１を収納するスペースを設ける必要がなく、しかも取り外した棚板構成部４１を有効に活用することができる。
【００６１】
上述した実施の形態では、棚板４０は、複数の棚板構成部４１が左右に並設されて構成されたものであったが、本発明においては、図１６に示すように、棚板４０′の一部４２が屈曲状態となって収納されるものでもよい。これによれば、直下の商品載置棚１０に背高商品Ｗ２を載置させる場合に、図１７に示すように、該当する棚板４０′の一部４２を屈曲状態にして収納させることにより、商品載置棚１０のピッチを変更することなく、背高商品Ｗ２を良好に陳列させることができる。
【符号の説明】
【００６２】
１  ケース本体
１ａ  前面開口
２  収納室
３  空気循環手段
４  空気通路
７  背面パネル
８  蒸発器
１０  商品載置棚
２０  支持ユニット
２１  ブラケット部材
２２  スライド支持部材
２３  スライド機構
３０  棚板支持部材
４０  棚板
４１  棚板構成部
５０  補助ユニット
５１  補助ガイド部材
５２  補助支持部材
５１１  底壁部
５１２  前壁部
５１３  天壁部
５２１  当接壁部
５２２  側壁部
６０  アタッチメント部材
Ｆ  循環ファン
【図１】
2018094373.tif 000003
【図２】
2018094373.tif 000004
【図３】
2018094373.tif 000005
【図４】
2018094373.tif 000006
【図５】
2018094373.tif 000007
【図６】
2018094373.tif 000008
【図７】
2018094373.tif 000009
【図８】
2018094373.tif 000010
【図９】
2018094373.tif 000011
【図１０】
2018094373.tif 000012
【図１１】
2018094373.tif 000013
【図１２】
2018094373.tif 000014
【図１３】
2018094373.tif 000015
【図１４】
2018094373.tif 000016
【図１５】
2018094373.tif 000017
【図１６】
2018094373.tif 000018
【図１７】
2018094373.tif 000019